(57)【特許請求の範囲】
【請求項１】
使用者の顔画像を撮影する撮像部と、
前記顔画像に基づく第１の認証処理と、顔画像以外の情報に基づく第２の認証処理を行う認証部と、
前記認証部で前記第２の認証処理を行う際に、前記撮像部を起動状態に維持しつつ、前記顔画像に基づく前記第１の認証処理を中断する制御部と、
を備えることを特徴とする画像処理装置。
【請求項２】
前記第２の認証処理は、ＩＤ及びパスワードに基づく認証処理であり、
前記制御部は、前記ＩＤと前記パスワードのいずれかが入力される際に、前記撮像部を起動状態に維持しつつ、前記顔画像に基づく前記第１の認証処理を中断する
ことを特徴とする請求項１記載の画像処理装置。
【請求項３】
前記認証部は、前記第１の認証処理を行う画像処理部を備え、
前記制御部は、前記第１の認証処理を行う際に前記画像処理部に対してイネーブル信号を送信して前記第１の認証処理を許可し、前記第２の認証処理を行う際に前記画像処理部に対してディスイネーブル信号を送信して前記第１の認証処理を不許可とする
ことを特徴とする請求項１，２のいずれかに記載の画像処理装置。
【請求項４】
電力制御部と、
所定の検出領域内にいる人を検出する検出部と、
を備え、
前記検出部で人を検出した場合に前記電力制御部から前記撮像部に電力を供給して起動状態とするとともに前記制御部は前記認証部の前記第１の認証処理を許可し、前記検出部で人を検出しない場合に前記撮像部への電力供給を停止する
ことを特徴とする請求項１〜３のいずれかに記載の画像処理装置。
【請求項５】
コンピュータを、
撮像部で撮影して得られたユーザの顔画像に基づく第１の認証処理と、顔画像以外の情報に基づく第２の認証処理が可能な認証手段と、
前記認証部で前記第２の認証処理を行う際に、前記撮像部を起動状態に維持しつつ、前記顔画像に基づく前記第１の認証処理を中断する制御手段
として機能させることを特徴とするプログラム。
【発明の詳細な説明】
【技術分野】
【０００１】
本発明は、画像処理装置及びプログラムに関する。
【背景技術】
【０００２】
近年、顔認証技術が開発・普及されており、種々の分野に応用されている。
【０００３】
特許文献１には、被認証者の顔を含む領域を撮影して得られた顔画像から生成した認証に用いる情報と、予め登録された認証情報とを比較照合し、互いに一致すると判定された場合に被認証者を予め登録されたものであると認証する技術が開示されている。
【先行技術文献】
【特許文献】
【０００４】
【特許文献１】特開２０００−０３００６６号公報
【発明の概要】
【発明が解決しようとする課題】
【０００５】
ところで、使用者の認証として顔によって認証する構成とそれ以外の方法によって認証する構成とを有している画像処理装置において、それ以外の方法によって認証する場合に、顔による認証用のカメラの電源をオフにしてしまうことが考えられるが、この場合には顔による認証が必要となった場合のカメラの起動までの間の時間が必要となる。
【０００６】
本発明の目的は、顔による認証を行わない場合に認証用のカメラの電源をオフにする場合に比べ、顔による認証において認証までの遅延を抑制することができる装置及びプログラムを提供することにある。
【課題を解決するための手段】
【０００７】
請求項１記載の発明は、使用者の顔画像を撮影する撮像部と、前記顔画像に基づく第１の認証処理と、顔画像以外の情報に基づく第２の認証処理を行う認証部と、前記認証部で前記第２の認証処理を行う際に、前記撮像部を起動状態に維持しつつ、前記顔画像に基づく前記第１の認証処理を中断する制御部とを備えることを特徴とする画像処理装置である。
【０００８】
請求項２記載の発明は、前記第２の認証処理は、ＩＤ及びパスワードに基づく認証処理であり、前記制御部は、前記ＩＤと前記パスワードのいずれかが入力される際に、前記撮像部を起動状態に維持しつつ、前記顔画像に基づく前記第１の認証処理を中断することを特徴とする請求項１記載の画像処理装置である。
【０００９】
請求項３記載の発明は、前記認証部は、前記第１の認証処理を行う画像処理部を備え、前記制御部は、前記第１の認証処理を行う際に前記画像処理部に対してイネーブル信号を送信して前記第１の認証処理を許可し、前記第２の認証処理を行う際に前記画像処理部に対してディスイネーブル信号を送信して前記第１の認証処理を不許可とすることを特徴とする請求項１，２のいずれかに記載の画像処理装置である。
【００１０】
請求項４記載の発明は、電力制御部と、所定の検出領域内にいる人を検出する検出部とを備え、前記検出部で人を検出した場合に前記電力制御部から前記撮像部に電力を供給して起動状態とするとともに前記制御部は前記認証部の前記第１の認証処理を許可し、前記検出部で人を検出しない場合に前記撮像部への電力供給を停止することを特徴とする請求項１〜３のいずれかに記載の画像処理装置である。
【００１１】
請求項５記載の発明は、コンピュータを、撮像部で撮影して得られたユーザの顔画像に基づく第１の認証処理と、顔画像以外の情報に基づく第２の認証処理が可能な認証手段と、前記認証部で前記第２の認証処理を行う際に、前記撮像部を起動状態に維持しつつ、前記顔画像に基づく前記第１の認証処理を中断する制御手段として機能させることを特徴とするプログラムである。
【発明の効果】
【００１２】
請求項１及び請求項５記載の発明によれば、第２の認証処理実行時に意図しない第１の認証処理が実行されて顔認証される事態が防止される。また、第１の認証処理への復帰も迅速に行われ得る。
【００１３】
請求項２記載の発明によれば、ＩＤ及びパスワード認証実行時に意図しない第１の認証処理が実行されて顔認証される事態が防止される。また、ＩＤ及びパスワード認証から第１の認証処理への復帰も迅速に行われ得る。
【００１４】
請求項３記載の発明によれば、さらに、第２撮像部の起動状態を維持しつつ、画像処理部での認証処理の許可／不許可を容易に制御し得る。
【００１５】
請求項４記載の発明によれば、さらに、第２撮像部を効率的に起動状態に設定することができる。
【図面の簡単な説明】
【００１６】
【図１】画像処理装置の正面図である。
【図２】画像処理装置の上面図である。
【図３】画像処理装置の構成ブロック図である。
【図４】画像処理装置の人検出装置の構成ブロック図である。
【図５】画像処理装置の機能ブロック図である。
【図６】画像処理装置と人の位置関係を示す平面図である。
【図７】画像処理装置のタイミングチャートである。
【図８】表示部の表示画面説明図である。
【図９】ソフトウェアキーボードの表示画面説明図である。
【図１０】ＩＤ及びパスワード入力の表示画面説明図である。
【図１１】顔認証とＩＤ及びパスワード認証の切替とイネーブル信号との関係を示すタイミングチャートである。
【図１２】表示画面の状態と第２撮像部及び顔認証状態との関係を示す説明図である。
【発明を実施するための形態】
【００１７】
以下、図面に基づき本発明の実施形態について説明する。
【００１８】
図１に、本実施形態における画像処理装置１０の正面図を示す。また、図２に、画像処理装置１０の上面図を示す。
【００１９】
画像処理装置１０は、人感センサ１９１と、第１撮像部１９２と、第２撮像部１９３とを備える。
【００２０】
人感センサ１９１は、例えば赤外線センサから構成され、画像処理装置１０の筐体前面に設けられる。人感センサ１９１は、図２に示す検出領域Ｆ１内に存在する人体を検出して検出信号を出力する。検出領域Ｆ１は、画像処理装置１０の正面に設定され、例えば人感センサ１９１を中心として角度９０度から１３５度、半径１５００ｍｍの扇形の領域として設定される。
【００２１】
第１撮像部１９２は、例えば広角レンズを備えるカメラであり、画像処理装置１０の筐体前面に設けられる。第１撮像部１９２は、図２に示す検出領域Ｆ２の画像を撮影する。検出領域Ｆ２は、画像処理装置１０の正面に設定され、例えば第１撮像部１９２を中心とした半径１０００ｍｍの半円形の範囲として設定される。
【００２２】
第２撮像部１９３は、例えばカメラであり、画像処理装置１０の筐体上面において操作部１３及び表示部１４に隣接して設けられる。第２撮像部１９３は、画像処理装置１０を利用するユーザの顔画像を撮影する。
【００２３】
なお、図２における領域Ｆ３は、ユーザが画像処理装置１０を操作する際に滞在する領域であり、画像処理装置１０の正面において画像処理装置１０と隣り合うように設定される。
【００２４】
図３に、画像処理装置１０の構成ブロック図を示す。画像処理装置１０は、制御部１１と、通信部１２と、操作部１３と、表示部１４と、記憶部１５と、画像読取部１６と、画像形成部１７と、電源回路１８と、人検出装置１９を備える。
【００２５】
制御部１１は、例えばＣＰＵとメモリを備え、画像処理装置１０の各部を制御する。ＣＰＵは、メモリ又は記憶部１５に記憶されたプログラムを読み出して実行する。メモリは
ＲＯＭ及びＲＡＭを備える。ＲＯＭは、予めプログラムや各種データを記憶する。ＲＡＭは、プログラムやデータを一時記憶し、ＣＰＵがプログラムを実行する際のワーキングエリアとして機能する。
【００２６】
通信部１２は、通信回線に接続される通信インタフェースである。通信部１２は、通信回線に接続されたクライアント装置や他の画像処理装置１０と通信回線を介して通信を行う。
【００２７】
操作部１３は、例えばタッチパネル及びキーから構成され、ユーザの操作に応じたデータを制御部１１に供給する。
【００２８】
表示部１４は、例えば液晶ディスプレイであり、各種の情報を表示する。操作部１３及び表示部１４は、画像処理装置１０の筐体上面に設けられる。操作部１３と表示部１４はタッチパネルとして一体化していてもよい。
【００２９】
記憶部１５は、ハードディスクや半導体メモリ等であり、制御部１１により用いられる各種プログラムやデータを記憶する。
【００３０】
画像読取部１６は、イメージスキャナであり、原稿の画像を読み取って画像データを生成する。
【００３１】
画像形成部１７は、画像データに応じた画像を用紙等のシート状の媒体に形成する。画像形成部１７は、電子写真方式により画像を形成してもよいし、他の方法により画像を形成してもよい。画像形成部１７は、一般にはプリンタとして機能する。
【００３２】
電源回路１８は、画像処理装置１０の各部に電力を供給する。
【００３３】
人検出装置１９は、画像処理装置１０のユーザを検出するものであり、具体的には人感センサ１９１と、第１撮像部１９２と、第２撮像部１９３を備える。
【００３４】
図４に、人検出装置１９の構成ブロック図を示す。人検出装置１９は、人感センサ１９１と、第１撮像部１９２と、第２撮像部１９３と、画像処理部１９４と、通信制御部１９５を備える。
【００３５】
画像処理部１９４は、第１撮像部１９２により撮影された画像、及び第２撮像部１９３で撮影された画像を解析して各種の処理を実行する。画像処理部１９４は、ＣＰＵとメモリで構成する他、ＡＳＩＣにより構成されていてもよい。
【００３６】
通信制御部１９５は、人検出装置１９と制御部１１との間の通信を制御する。具体的には、第１撮像部１９２や第２撮像部１９３により撮影された画像から人を検出すると、検出信号を制御部１１に送信する。
【００３７】
図５に、画像処理装置１０の機能ブロック図を示す。画像処理装置１０は、機能として、動作モード制御部１０１と、電力制御部１０２と、接近判定部１０３と、滞在判定部１０４と、認証部１０５を備える。
【００３８】
動作モード制御部１０１は、制御部１１により実行され、画像処理装置１０の各部の動作モードを制御する。動作モード制御部１０１は、画像処理装置１０のメインシステムの動作モードと、第１撮像部１９２及び第２撮像部１９３の動作モードと、画像処理部１９４及び通信制御部１９５の動作モードを制御する。なお、メインシステムは、画像処理装置１０において人検出装置１９を除いた構成であり、画像読取部１６や画像形成部１７等である。
【００３９】
メインシステムの動作モードには、スタンバイモードとスリープモードがある。スタンバイモードにおいては、稼働に必要な電力がメインシステムに供給され、動作可能な状態にある。スタンバイモードに移行すると、画像処理装置１０は、ユーザの操作に応じて、スキャン処理、コピー処理、プリント処理又はファクシミリ処理を実行する。スリープモードにおいては、メインシステムの少なくとも一部への電力供給が停止され、メインシステムの少なくとも一部が非稼働状態になる。スリープモードでは、制御部１１の一部、表示部１４、画像読取部１６及び画像形成部１７への電力供給が停止される。
【００４０】
第１撮像部１９２及び第２撮像部１９３の動作モードには、オン状態とオフ状態がある。オン状態においては、第１撮像部１９２及び第２撮像部１９３に電力が供給され、第１撮像部１９２及び第２撮像部１９３の電源がオンになる。オフ状態においては、第１撮像部１９２及び第２撮像部１９３への電力供給が停止され、第１撮像部１９２及び第２撮像部１９３の電源がオフになる。
【００４１】
画像処理部１９４及び通信制御部１９５の動作モードには、スタンバイモードとスリープモードがある。スタンバイモードにおいては、稼働に必要な電力が画像処理部１９４及び通信制御部１９５に供給され稼働状態となる。スリープモードにおいては、画像処理部１９４及び通信制御部１９５の少なくとも一部への電力供給が停止され、非稼働状態となる。
【００４２】
また、動作モード制御部１０１は、第１タイマ１１１と第２タイマ１１２を備える。第１タイマ１１１は、メインシステムをスリープモードに移行する際に用いられる。第２タイマ１１２は、第１撮像部１９２及び第２撮像部１９３をオフ状態にし、画像処理部１９４及び通信制御部１９５をスリープモードに移行する際に用いられる。
【００４３】
電力制御部１０２は、動作モード制御部１０１の制御により、電源回路１８から画像処理装置１０の各部への電力供給を制御する。なお、電力制御部１０２は、人感センサ１９１には常に電力を供給する。
【００４４】
接近判定部１０３は、画像処理部１９４により実行され、第１撮像部１９２により撮影された画像に基づいて検出領域Ｆ２内にいる人が画像処理装置１０に近づいているか否かを判定する。具体的には、撮影画像から人の形を検出してその向きを検出し、検出した人体の向きが画像処理装置１０に向かう方向である場合には画像処理装置１０に向かって近づいていると判定し、それ以外の場合には画像処理装置１０に向かって近づいていないと判定する。
【００４５】
滞在判定部１０４は、画像処理部１９４により実行され、第１撮像部１９２により撮影された画像に基づいて、操作領域Ｆ３内に人がいるか否かを判定する。
【００４６】
認証部１０５は、画像処理部１９４により実行され、第２撮像部１９３により撮影された画像に基づいて、ユーザを顔認証する。具体的には、第２撮像部１９３により撮影された画像から顔領域を抽出し、抽出した顔領域の特徴と予め登録された正当なユーザの顔画像の特徴とを照合することにより、正当なユーザの顔画像であるか否かを判定する。正当なユーザの顔画像であると判定された場合、ユーザの認証は成功する。他方、正当なユーザの顔画像でないと判定された場合、ユーザの認証は失敗する。
【００４７】
また、認証部１０５は、顔認証処理(第１の認証処理)に加え、ＩＤ及びパスワード認証処理(第２の認証処理)も実行する。具体的には、ユーザが操作部１３あるいは表示部１４を操作してＩＤ及びパスワードを入力すると、予め登録された正当なユーザのＩＤ及びパスワードと照合することで正当なユーザを認証する。ＩＤ及びパスワードによる認証は、顔画像が必要でないため画像処理部１９４で実行するのではなく、制御部１１により実行される。
【００４８】
認証部１０５は、第２撮像部１９３により撮影された画像に基づいて顔認証処理を実行するため、その前提として第２撮像部１９３がオン状態となっていることが必要である。すなわち、認証部１０５は、第２撮像部１９３がオン状態であり、かつ、画像処理部１９４がスタンバイモードにおいて稼働状態となる。他方、認証部１０５は、上記のように顔認証以外にＩＤ及びパスワード認証処理を実行するため、ＩＤ及びパスワードを用いた認証時に顔認証も同時に行ってしまうと、意図しない認証が行われてしまう。
【００４９】
そこで、認証部１０５は、ＩＤ及びパスワードによる認証が行われる際には、一時的に顔認証の機能をオフ状態とする。具体的には、顔認証は画像処理部１９４により実行されるから、ＩＤ及びパスワードによる認証を実行する際には、画像処理部１９４をスリープモードに移行する。このとき、第２撮像部１９３はオン状態に維持される。すなわち、顔認証時には、
第２撮像部１９３：オン状態
画像処理部１９４：スタンバイモード
であるが、ＩＤ及びパスワードによる認証時は、
第２撮像部１９３：オン状態
画像処理部１９４：スリープモード
である。このように、ＩＤ及びパスワードによる認証時に、顔認証処理を中断することで、意図しない顔認証が防止される。なお、画像処理部１９４をスリープモードとするのではなく、制御部１１からのイネーブル信号／ディスイネーブル信号により画像処理部１９４が顔認証処理を実行／非実行するものとしてもよい。この場合、顔認証時には、
第２撮像部１９３：オン状態
画像処理部１９４：スタンバイモードかつ制御部１１からイネーブル信号を受信して顔認証実行
であるが、ＩＤ及びパスワードによる認証時は、
第２撮像部１９３：オン状態
画像処理部１９４：スタンバイモードかつ制御部１１からディスイネーブル信号を受信して顔認証処理を非実行
である。以降の説明では、制御部１１からのイネーブル信号／ディスイネーブル信号により顔認証の実行／非実行を制御する場合を例にとり説明するが、本発明はこれに限定されるものではない。
【００５０】
図６に、画像処理装置１０と人との位置関係を示す。また、図７に、画像処理装置１０の移行動作を表すタイミングチャートを示す。
【００５１】
初期状態において、画像処理装置１０のメインシステム、画像処理部１９４及び通信制御部１９５の動作モードがスリープモードに移行しており、第１撮像部１９２及び第２撮像部１９３がオフ状態にある。
【００５２】
時刻ｔ１において、図６（ａ）のように検出領域Ｆ１に人がいないと、人感センサ１９１は人を検出せず、検出信号はオフとなる。
【００５３】
時刻ｔ２において、図６（ｂ）のように検出領域Ｆ１に人が移動すると、人感センサ１９１は人を検出し、検出信号がオンとなる。人感センサ１９１の検出信号がオンになると、第１撮像部１９２及び第２撮像部１９３が起動されてオフ状態からオン状態に移行し、画像処理部１９４及び通信制御部１９５がスリープモードからスタンバイモードに移行する。
【００５４】
第１撮像部１９２は、起動中、所定の時間間隔で検出領域Ｆ２の画像を撮影する。第１撮像部１９２で画像が撮影されると、接近判定処理及び滞在判定処理が実行される。
【００５５】
時刻ｔ３において、図６（ｃ）のように人が画像処理装置１０に近づく方向Ｄ１に移動すると、接近判定処理において画像処理装置１０に人が近づいていると判定され、メインシステムがスリープモードからスタンバイモードに移行する。
【００５６】
時刻ｔ４において、図６（ｄ）のようにユーザが操作領域Ｆ３内に移動すると、滞在判定処理においてユーザが操作領域Ｆ３にいると判定され、メインシステムはスタンバイモードのまま維持される。
【００５７】
時刻ｔ４から時刻ｔ５の間、すなわち図６（ｄ）の状態において、ユーザの認証が実行される。ユーザの認証は、顔認証か、ＩＤ及びパスワード認証である。なお、顔認証とＩＤ及びパスワード認証を併用した認証とすることも可能である。顔認証時には、第２撮像部１９３によりユーザの顔画像を撮影する。
【００５８】
時刻ｔ５において、ユーザが画像処理装置１０の利用を終了し、画像処理装置１０に対して所定のログアウト処理を実行して図６（ｅ）のように画像処理装置１０に背を向けて操作領域Ｆ３外に移動すると、滞在判定処理においてユーザが操作領域Ｆ３にいないと判定される。この場合、第１タイマ１１１が起動され、設定時間Ｔ１の計測が開始される。
【００５９】
時刻ｔ６において、図６（ｆ）のようにユーザが検出領域Ｆ１外に移動すると、人感センサ１９１が人を検出しなくなるため、検出信号がオフとなる。検出信号がオフになると、第２タイマ１１２が起動され、設定時間Ｔ２の計測が開始される。
【００６０】
時刻ｔ７において、タイマ１１２により計測された時間が設定時間Ｔ２を経過すると、メインシステムの動作モードがスリープモードであるか否かが判定される。メインシステムがスタンバイモードである場合には、設定時間Ｔ２を経過してもスタンバイモードはそのまま維持される。
【００６１】
時刻ｔ８において、タイマ１１１により計測された時間が設定時間Ｔ１を経過すると、メインシステムがスタンバイモードからスリープモードに移行する。また、第１撮像部１９２及び第２撮像部１９３がオン状態からオフ状態になり、画像処理部１９４及び通信制御部１９５がスリープモードに移行する。
【００６２】
第２撮像部１９３、画像処理部１９４及び通信制御部１９５に着目すると、図６（ｂ）のように検出領域Ｆ１内に人が移動したタイミングで第２撮像部１９３がオン状態となり、画像処理部１９４及び通信制御部１９５がスタンバイモードに移行する。また、図６（ｃ）のように人が画像処理装置１０に近づくタイミングでメインシステムがスリープモードからスタンバイモードに移行し、操作部１３や表示部１４に電力が供給されオン状態となる。従って、この時点において、ユーザの顔認証、あるいはＩＤとパスワード認証が可能となる。そして、ユーザが操作を終了し、図６（ｆ）のように検出領域Ｆ１外に移動して設定時間Ｔ１を経過すると、メインシステムがスリープモードに移行し、第２撮像部１９３がオフ状態となり、かつ、画像処理部１９４と通信制御部１９５がスリープモードに移行して顔認証もＩＤとパスワード認証も行われない。
【００６３】
次に、時刻ｔ４からｔ５の期間における、ユーザの認証処理について説明する。
【００６４】
図８に、表示部１４の表示画面例を示す。表示部１４には、第２撮像部１９３で撮影して得られるユーザの顔画像１４１が表示されるとともに、「画面を見ながら枠内に顔をおさめてください。」とのメッセージ１４２が表示される。ユーザが顔認証を希望する場合は、このメッセージ１４２に従って第２撮像部１９３に対する自己の顔の相対位置を適宜調整する。第２撮像部１９３は、得られた顔画像を画像処理部１９４に出力する。画像処理部１９４は、顔画像を予め登録された正当なユーザの顔画像の特徴と照合し、一致していれば顔認証に成功する。一致しなければ、顔認証に失敗したとして、その旨のメッセージを表示部１４に表示する。
【００６５】
また、表示部１４には、カメラ画像を表示するか否かのチェックボックス１４３及びヘルプ１４４が表示される。チェックボックス１４３にチェックすることで図８のようにユーザの顔画像１４１が表示部１４に表示される。チェックボックス１４３のチェックを外すと、第２撮像部１９３で撮影して得られるユーザの顔画像は表示部１４には表示されない。
【００６６】
顔認証に失敗した場合、ユーザは操作部１３に設けられた認証ボタンあるいは表示部１４に表示された認証タッチボタンを操作する。この操作により、顔認証からＩＤ及びパワード認証に移行する。
【００６７】
図９に、ＩＤ及びパスワード認証における表示部１４に表示されるキーボードの一例を示す。ユーザにより認証ボタンが操作されると、制御部１１は、表示部１４にソフトウェアキーボード１４５を表示して、ＩＤ及びパスワードの入力を可能とする。ユーザは、表示部１４に表示されたソフトウェアキーボード１４５を操作して、自己のＩＤ及びパスワードを入力する。制御部１１は、入力されたＩＤ及びパスワードを予め登録された正当なユーザのＩＤ及びパスワードと照合してユーザを認証する。
【００６８】
制御部１１は、認証ボタンが操作され、これに応じてソフトウェアキーボード１４５を表示部１４に表示すると同時に、画像処理部１９４における顔認証処理を中断させる。すなわち、制御部１１は、通信制御部１９５を介してディスイネーブル信号を画像処理部１９４に送信し、画像処理部１９４は、ディスイネーブル信号を受信することで顔認証処理を中断する。具体的には、画像処理部１９４は、ディスイネーブル信号を受信すると、第２撮像部１９３で撮影して得られた顔画像に対して何らの処理も実行せず、認証結果も制御部１１に出力しない。なお、制御部１１は、顔認証処理の実行を許可するイネーブル信号を画像処理部１９４に送信するものとし、イネーブル信号がオフ状態（２値のＬｏｗ状態）をディスイネーブル信号としてもよい。画像処理部１９４における顔認証処理が中断されていても、第２撮像部１９３はオン状態がそのまま維持される。ＩＤ及びパスワードにより認証されたユーザが画像処理装置１０を利用し、利用後にログオフすると、制御部１１は、再び画像処理部１９４に対してイネーブル信号を送信し、顔認証の実行を許可する。
【００６９】
また、既述したように、顔認証とＩＤ及びパスワード認証は択一的ではなく、両者を併用してもよい。
【００７０】
図１０に、顔認証とＩＤ及びパスワード認証を併用する場合の表示部１４の画面例を示す。顔認証に成功すると、ユーザの顔画像１４１が表示されるとともに、パスワードを入力するための入力フィールド１４６が表示される。さらに、表示部１４には、「ユーザＩＤをキーボードで入力して認証する場合は、操作パネルの認証ボタンを押してください。」とのメッセージ１４７が表示される。ユーザが認証ボタンを操作した場合、図９に示すソフトウェアキーボード１４５が表示され、ＩＤ及びパスワード認証に切り替わる。ユーザがパスワードを入力してログインボタン１４９を操作すると、制御部１１は、入力されたＩＤ及びパスワードと予め登録された正当ユーザのＩＤ及びパスワードと照合して認証する。図９に示すソフトウェアキーボード１４５が表示される際には、制御部１１はディスイネーブル信号を画像処理部１９４に送信して顔認証処理を中断させるが、図１０の画面を表示する際、つまりＩＤ及びパスワード認証が行われる可能性がある時点において、ディスイネーブル信号を画像処理部１９４に送信して顔認証処理を中断させてもよい。
【００７１】
パスワードが正しくない場合、認証に失敗することになり、制御部１１は所定のエラーメッセージを表示部１４に表示する。例えば、「パスワードは正しくありません」等である。エラーメッセージを表示した後、ユーザの所定の操作により再び図１０の画面に復帰してＩＤ及びパスワードの入力をやり直す。エラーメッセージを表示する際には、制御部１１はディスイネーブル信号を送信して顔認証処理を中断させる。
【００７２】
顔認証をやり直す場合には、「顔認証をやり直す」ボタン１４８を操作する。このボタン１４８を操作すると、制御部１１は、再び図９に示す画面を表示部１４に表示し、顔認証処理を実行させる。すなわち、制御部１１は、イネーブル信号を画像処理部１９４に送信して顔認証処理の実行を許可する。顔認証処理に失敗した場合、制御部１１は、所定のエラーメッセージを表示部１４に表示する。例えば、「顔認証に失敗しました」等である。ＩＤ及びパスワード認証に失敗した場合、制御部１１はエラーメッセージを表示する際にディスイネーブル信号を画像処理部１９４に送信して顔認証処理を中断させるが、顔認証処理に失敗した場合のエラーメッセージを表示する際にはイネーブル信号を画像処理部１９４に送信して顔認証処理を継続して許可する。
【００７３】
図１１に、時刻ｔ４から時刻ｔ５の間、すなわち図６（ｄ）の状態において、ユーザの認証が実行されるタイミングチャートの一例を示す。
【００７４】
図１１（ａ）は、第２撮像部１９３の状態であり、時刻ｔ４から時刻ｔ５において常にオン状態に維持される。第２撮像部１９３は、検出領域Ｆ１内に人が移動したタイミングでオフ状態からオン状態となり、画像処理装置１０に背を向けて検出領域Ｆ１外に移動して設定時間Ｔ１を経過すると、オン状態からオフ状態となる。
【００７５】
図１１（ｂ）は、制御部１１から画像処理部１９４に送信されるイネーブル信号である。イネーブル信号はオン状態（Ｈｉ状態）とオフ状態（Ｌｏｗ状態）の２値信号であり、オン状態で画像処理部１９４の顔認識処理を許可し、オフ状態で画像処理部１９４の顔認識処理を不許可とする。
【００７６】
図１１（ｃ）は、認識のモードを示す。顔認証モードとＩＤ及びパスワード認証を併用する場合、あるユーザでは顔認証が実行され、別のユーザではＩＤ及びパスワード認証が実行される。
【００７７】
図１１（ｄ）は、時刻ｔ４から時刻ｔ５の間の特定の期間における画像処理装置１０の動作を示す。
【００７８】
時刻ｔ４以降において、第２撮像部１９３はオン状態であり、かつ、制御部１１はイネーブル信号をオン状態にして画像処理部１９４に送信し、顔認証可能な状態にある。顔認証を希望するユーザは、図８に示すように自己の顔が枠内におさまるように第２撮像部１９３との相対位置を調整し、画像処理部１９４で顔認証が実行される。
【００７９】
時刻ｔ４１において、ユーザがＩＤ及びパスワード認証を希望する旨の操作を行った場合（例えば、図８の画面においてヘルプボタン１４４を操作し、表示部１４の画面が図８から図１０に切り替わる場合）、制御部１１は、イネーブル信号をオン状態（Ｈｉ状態）からオフ状態（Ｌｏｗ状態）に切り替えて画像処理部１９４に送信する。これにより、画像処理部１９４での顔認証処理は中断され、ＩＤ及びパスワード認証に切り替わる。認証モードがＩＤ及びパスワード認証に切り替わっても、第２撮像部１９３はオン状態が維持される。
【００８０】
時刻ｔ４１でＩＤ及びパスワード認証に切り替わり、時刻ｔ４２で認証に成功すると、認証ユーザは画像処理装置１０にログインして操作が可能となり、原稿のスキャンや原稿のコピー、原稿のファクシミリ送信、あるいはプリントアウト等の所望の操作を指示する。この間、第２撮像部１９３はオン状態にあるが、イネーブル信号はオフ状態（Ｌｏｗ状態）のままであるから顔認証は中断が維持される。従って、ＩＤ及びパスワード認証されたユーザが、画像処理装置１０の操作中に意図せず顔認証されることもない。
【００８１】
時刻ｔ４３で認証ユーザが操作を終了してログアウトすると、制御部１１はログアウトを検出してイネーブル信号をオフ状態からオン状態に切り替える。これ以後、顔認証が再び実行されることになり、他のユーザが画像処理装置１０を使用するために画像処理装置１０に近づくと、当該ユーザが顔認証を希望する限り、直ちに顔認証が実行される。第２撮像部１９３はオン状態を維持しているため、第２撮像部１９３のカメラを改めて起動する必要はない。
【００８２】
なお、制御部１１は、ログアウトを検出すると同時にイネーブル信号をオン状態に切り替えるのではなく、操作領域Ｆ３から人が存在しなくなった時点でイネーブル信号をオン状態に切り替えてもよく、あるいはログアウトから所定時間経過したタイミングでオン状態に切り替えてもよい。
【００８３】
図１２に、本実施形態における表示部１４での表示画面と第２撮像部１９３の状態、及び顔認証の実行状態との関係をまとめて示す。
【００８４】
表示画面Ａは、画像処理装置１０のメインシステムがスタンバイモードに移行した後の表示画面であり、操作領域Ｆ３に存在する人の顔画像を第２撮像部１９３で撮影して表示部１４に表示している状態である。この状態では、第２撮像部１９３はオン状態、つまり第２撮像部１９３に電力が供給され顔画像を撮影可能な起動状態にあり、かつ、画像処理部１９４での顔認証処理は実行状態にある。
【００８５】
表示画面Ｂは、顔認証とＩＤ及びパスワード認証を併用する場合において、顔認証に成功した時点の表示画面である。パスワードの入力フィールドが表示される。この状態では、第２撮像部１９３はオン状態にあり、かつ、画像処理部１９４での顔認証処理は中断状態にある。この表示画面においても第２撮像部１９３でユーザの顔画像を撮影しているが、顔認証自体は中断される。第２撮像部１９３で撮影して得られたユーザの顔画像を画面上に表示しなくてもよい。この画面においてユーザが「顔認証をやり直す」ボタンを操作すると、表示画面Ｂから表示画面Ａに切り替わり、再び画像処理部１９４での顔認証処理は実行状態となる。他方、この画面において操作部１３の認証ボタンを操作すると、ソフトウェアキーボードに切り替わる。
【００８６】
表示画面Ｃは、ＩＤやパスワードを入力するためにソフトウェアキーボードを表示させた画面である。この状態では、第２撮像部１９３はオン状態にあり、かつ、画像処理部１９４での顔認証処理は中断状態にある。ユーザがＩＤ及びパスワードを入力し、ログインボタンを操作するとＩＤ及びパスワード認証が実行される。
【００８７】
表示画面Ｄは、ＩＤ及びパスワードの認証に失敗した場合の画面である。所定のエラーメッセージが表示される。この状態では、第２撮像部１９３はオン状態にあり、かつ、画像処理部１９４での顔認証処理は中断状態にある。この画面において閉じるボタンを操作すると、表示画面Ｂに切り替わり、ＩＤ及びパスワードを再入力する。第２撮像部１９３はオン状態であり、画像処理部１９４での顔認証処理は中断状態のままである。
【００８８】
なお、表示画面Ａにおいて顔認証が実行され、顔認証に失敗した場合にも所定のエラーメッセージが表示される。但し、このエラーメッセージは表示画面Ｄと異なり、顔認証に失敗した画面であるから、画像処理部１９４での顔認証処理は実行状態に維持される。もちろん、この場合においても表示画面Ｄと同様に画像処理部１９４での顔認証処理を実行状態から中断状態に切り替えてもよい。
【００８９】
このように、本実施形態では、ＩＤ及びパスワード認証を行う場合には、第２撮像部１９３をオン状態に維持しつつ顔認証処理を中断するので、意図せずに顔認証が行われてしまう事態が防止される。また、第２撮像部１９３はオン状態が維持されるため、顔認証に切り替える場合にもカメラの起動処理が必要でなく、迅速に顔認証が実行される。
【００９０】
以上、本発明の実施形態について説明したが、本発明はこれに限定されるものではなく、種々の変更が可能である。
【００９１】
例えば、本実施形態では、ＩＤ及びパスワード認証時には第２撮像部１９３をオン状態に維持しつつ画像処理部１９４での顔認証処理を中断しているが、顔認証に成功した場合にも、当該ユーザを引き続き顔認証してしまうことを防止すべく、第２撮像部１９３をオン状態に維持しつつ画像処理部１９４での顔認証処理を中断してもよい。具体的には、図１２の表示画面Ａにおいて顔認証が実行され、画像処理部１９４で顔認証に成功すると、その旨の検出信号が通信制御部１９５から制御部１１に送信される。制御部１１は、この検出信号に応答してイネーブル信号をオン状態からオフ状態に切り替えて以後の画像処理部１９４での顔認証処理を中断する。そして、当該認証ユーザが操作を終了してログアウトしたタイミングあるいは操作領域Ｆ３から外れたタイミングでイネーブル信号を再びオン状態に切り替える。顔認証に成功した場合でも、第２撮像部１９３のオン状態を維持することで、次の顔認証を迅速に実行できる。
【００９２】
また、本実施形態では、ソフトウェアキーボードによりＩＤ及びパスワードを入力してＩＤ及びパスワード認証を行う場合を例示したが、ＩＤカード（磁気カード及びＩＣカードを含む）によるＩＤ及びパスワード認証の場合にも同様に適用できる。すなわち、ユーザがＩＤカードを画像処理装置１０の所定のＩＤカード読取部にかざすことで当該ユーザが認証されるが、制御部１１は、ＩＤカードを検出したタイミングで第２撮像部１９３をオン状態に維持しつつ、イネーブル信号をオン状態からオフ状態に切り替えて画像処理部１９４での顔認証処理を中断すればよい。
【００９３】
本実施形態では、第２撮像部１９３のオン状態を維持しつつ、画像処理部１９４での顔認証処理を中断しているが、第２撮像部１９３のオン状態とは、第２撮像部１９３に電力が供給されてユーザの顔画像を撮影し得る起動状態を意味し、顔画像を撮影し得る起動状態にあれば省電力モードであってもよい。また、画像処理部１９４での顔認識処理の中断には、第２撮像部１９３で得られた顔画像を入力しない態様、第２撮像部１９３で得られた顔画像を入力するもののその顔画像から特徴を抽出しない態様、第２撮像部１９３で得られた顔画像を入力して特徴を抽出するものの予め登録された特徴と照合しない態様、第２撮像部１９３で得られた顔画像を入力して特徴を抽出し予め登録された特徴と照合するもののその照合結果を出力しない態様、のいずれの態様も含まれ得る。また、「中断」とは、顔認証処理を一時的に停止することを意味するものであり、顔認証処理が非実行状態となるあらゆる状態が含まれると解釈されるべきである。画像処理部１９４での顔認証の実行状態を動作状態、画像処理部１９４での顔認証の中断状態を非動作状態ということもできる。
【符号の説明】
【００９４】
１０  画像処理装置、１１  制御部、１２  通信部、１３  操作部、１４  表示部、１５  記憶部、１６  画像読取部、１７  画像形成部、１８  電源回路、１９  人検出装置、１０１  動作モード制御部、１０２  電力制御部、１０３  接近判定部、１０４  滞在判定部、１０５  認証部、１９１  人感センサ、１９２  第１撮像部、１９３  第２撮像部、１９４  画像処理部、１９５  通信制御部。
【要約】
【課題】意図せず顔認証が実行されてしまう事態を防止するとともに、必要な場合に迅速に顔認証を実行することができる装置及びプログラムを提供する。
【解決手段】画像処理装置１０は、人を検出する第１撮像部１９２と、顔認証用にユーザの顔画像を撮影する第２撮像部１９３を備える。画像処理装置１０の制御部は、顔認証時には第２撮像部１９３をオン状態及び顔認証を行う画像処理部を動作状態とし、ＩＤ及びパスワード認証時には第２撮像部１９３をオン状態に維持しつつ画像処理部での顔認証を非動作状態とする。
【選択図】図１【図１】
0005561418.tif 000002
【図２】
0005561418.tif 000003
【図３】
0005561418.tif 000004
【図４】
0005561418.tif 000005
【図５】
0005561418.tif 000006
【図６】
0005561418.tif 000007
【図７】
0005561418.tif 000008
【図８】
0005561418.tif 000009
【図９】
0005561418.tif 000010
【図１０】
0005561418.tif 000011
【図１１】
0005561418.tif 000012
【図１２】
0005561418.tif 000013